(57)【要約】【課題】洗濯ハンガーの洗濯ばさみの絡まりを防止し、かつ、つまみやすい形状の洗濯ばさみ補助具を提供する。【解決手段】洗濯ばさみの吊り下げ具を、中心に通したスリットの付いたガイド体の両サイドから出ているそれぞれの連結体を、洗濯ばさみの操作部にそれぞれ連結した。また、洗濯ばさみの操作部の穴の位置を軸として、連結体が角度を限定して回動することができるようにした。【選択図】図１
2006314749.tif 000002
【特許請求の範囲】
【請求項１】
支持棒と、該支持棒の上端に設けられた枠や棒等の取り付け対象物に取り付けるフックやリング等の上取付具と、前記支持棒の下端の設けられ任意の輪ばねを有する洗濯ばさみの輪ばねに取り付けるフックやリング等の下取付具とよりなる吊り下げ具と、前記支持棒上下動可能に通すガイド体と、該ガイド体から各々反対方向へ設けられた一対の可撓性の連結体と、各々の連結体の先端に設けられ操作部に穴を有する任意の洗濯ばさみの穴の各々取り付けられる取付部とよりなる連結具とにより構成された洗濯ばさみ補助具。
【請求項２】
連結具の各々の取り付け部は洗濯ばさみに回動可能に取り付けられたものであることを特徴とする請求項１記載の洗濯ばさみ補助具。
【請求項３】
取り付け部の回動角度を限定する角度調整機構を具備することを特徴とする請求項１，又は２記載の洗濯ばさみ補助具。
【請求項４】
ガイド体に支持棒着脱のためのスリットを具備したものであること特徴とする請求項１，２又は３記載の洗濯ばさみ補助具。
【請求項５】
ガイド体は支持棒との交差角度に対応して支持棒への負荷を軽減されるように中間径が小さくなった湾曲形状となったものであること特徴とする請求項１，２，３又は４記載の洗濯ばさみ補助具。
【発明の詳細な説明】
【技術分野】
【０００１】  本発明は、洗濯ばさみに装着する補助具に関するものである。
【背景技術】
【０００２】  従来、枠体から洗濯ばさみを吊す方法として、棒状や鎖状の吊り下げ具を使って輪ばねや一対の操作部の片側と繋げているものがある。絡まりを防ぐため、吊り下げ具を板状にしたり、柔らかな棒状の樹脂を輪ばねを通して、その樹脂の両端を枠体に固定するものなどがある。
【発明の開示】
【発明が解決しようとする課題】
【０００３】  そのために、次のような問題点があった。
（イ）洗濯ハンガーを折り畳んで収納したり、複数個重ねて収納した後、使用しようとすると、操作部が突起しているので洗濯ばさみ同士が絡まったり、洗濯ばさみが枠体に絡まったりして煩わしかった。
（ロ）物干し竿などから、洗濯ハンガーを複数並べて吊していると、洗濯ばさみが、隣の洗濯ハンガーの洗濯ばさみや枠体や、枠体を吊り下げている鎖などに絡まる。煩わしいだけでなく、絡まったまま風に吹かれて洗濯ハンガーが水平方向に回転したりすると、洗濯ばさみの吊り下げ具などが壊れてしまった。
（ハ）上記のような絡みを防ぐため工夫された技術もあるが、効果が不十分であるうえに壊れ易かったり、構造上操作部がつまみにくかったりした。
【課題を解決するための手段】
【０００４】  前記課題を解決する手段として本発明に係る洗濯ばさみ補助具は、支持棒と、該支持棒の上端に設けられた枠や棒等の取り付け対象物に取り付けるフックやリング等の上取付具と、前記支持棒の下端の設けられ任意の輪ばねを有する洗濯ばさみの輪ばねに取り付けるフックやリング等の下取付具とよりなる吊り下げ具と、前記支持棒上下動可能に通すガイド体と、該ガイド体から各々反対方向へ設けられた一対の可撓性の連結体と、各々の連結体の先端に設けられ操作部に穴を有する任意の洗濯ばさみの穴の各々取り付けられる取付部とよりなる連結具とにより構成されている。
また、連結具の各々の取り付け部は洗濯ばさみに回転可能に取り付けられていて、取り付け部の回動角度を限定する角度調整機構を具備している。
連結具のガイド体は支持棒装着のためのスリットを具備している。
さらに、該ガイド体は支持棒との交差角度に対応して支持棒への負荷を軽減されるように中間径が小さくなった湾曲形状となっている。
【発明の効果】
【０００５】  ガイド体と操作部を連結体で連結することにより、操作部に他の洗濯ばさみなどが絡まる空間が存在していたのが解消され、洗濯ばさみ同士や洗濯ばさみと周辺のものとの絡まりが無くなった。
連結具の取り付け部を洗濯ばさみの操作部に回動可能に取り付けることによって、２個の洗濯ばさみでひとつの洗濯物を干すときなど、洗濯物に洗濯ばさみが引っ張られて支持棒に対して洗濯ばさみが角度を持ってしまっても、連結具の回動機能によって、支持棒や連結具が歪むのを防げるようになった。
取り付け部の回動角度を限定することによって、洗濯ばさみと連結具がなんらかの理由で必要以上に、くの字にたたまれて、支持棒がガイド体の下方付近で屈曲してしまうのを防げるようになった。
ガイド体にスリットを設けたため、支持棒をスリット部分に押し込むだけでガイド体に通すことができ、作業が簡単になった。
ガイド体の中間径を小さくしたので、２個の洗濯ばさみでひとつの洗濯物を支えるとき、支持棒がガイド体の中で斜めに傾く、支持棒がガイド体の内側の上下の角に集中して当たるのを防げるようになった。結果、支持棒が切れにくくなった。
【発明を実施するための最良の形態】
【０００６】  以下、本発明の第一実施の形態を図１から図１０を利用して説明する。
洗濯ばさみ補助具１は吊り下げ具２と連結具６から成っていて、ともに弾性のある樹脂でできている。吊り下げ具２は支持棒３の上端に支持棒を垂直にしたとき横方向に切り欠きのあるＣ型の上取付具４、下端には同様の下取付具５が付いている。連結具６は中空円筒状のガイド体７と、ガイド体７からそれぞれ反対方向に設けられた可撓性のある板状の連結体８と、それぞれの連結体８の先端に設けられた取り付け部９から成っている。【０００７】  上端が外周に広がった中空円筒状のガイド体７には１本のスリット１０がガイド体の上端から下端まで垂直に通っており、その深さは中空部まで達している。ガイド体７の中央よりやや上部の側面からそれぞれ反対方向に、板状の連結体８がななめ下方に広がるように出ていて、ガイド体７と連結体８を繋ぐ上連接部２３は、図３に示すように、外側から水平に肉厚を薄くするように切れ込まれた形状になっている。連結体８の下端と取り付け部９の上端を繋ぐ下連接部２４は内側から肉厚を薄くするように水平に切り込まれた形状となっている。
上連接部２３と下連接部２４は操作部１８をつまんだとき、連結具６が正確に屈曲するためであり、操作部１８をつまむときの指の負担を軽減するためである。【０００８】  取り付け部９は洗濯ばさみの操作部１８の上面とその周辺を覆うカバー部と、カバー部から洗濯ばさみの操作部の穴２１を貫通する方向へ突出した突起部２０とより構成されている。突起部２０には先端から上下に分割するための溝が深く入っている。突起部２０の先端の外周は挿入後に操作部の穴２１から抜けないようなストッパー形状となっている。この突起部２０の形状により、突起部２０を操作部の穴２１に一度押し込むと抜けることがない。
本発明は以上の構成よりなる。【０００９】  洗濯ばさみ補助具１を洗濯ばさみ１１に装着する方法は取り付け具９の突起部２０を洗濯ばさみ１１の操作部の穴２１にそれぞれ外側から押し込む。次に、吊り下げ具２の下取付具５で長板状樹脂１５の間から洗濯ばさみの輪ばね１９を引っ掛け、支持棒３をガイド体のスリット１０に押し込んで、ガイド体７に通す。場合によっては以上の手順が前後してもよい。【００１０】  以下、使用方法を説明する。
図２は、本発明である洗濯ばさみ補助具１が洗濯ばさみ１１に装着されて、実際に使用されるときの構成を表している。洗濯ばさみ１１が枠体１２に水平方向に、洗濯ばさみ補助具１を介して、多数吊り下がり、さらにその枠体１２が吊り下げ部材１３によって、鍵爪状フック１４に繋がっている。多くの場合、この鍵爪状フック１４で物干し竿などに掛けて、洗った洗濯物を乾燥させるときに使用する。【００１１】  図１は、洗濯ばさみ補助具１と洗濯ばさみ１１の構成を示している。洗濯ばさみ１１は、一対の長板状の樹脂でできており、その長板状樹脂１５の長手方向中央よりやや下にある軸部１６で、垂直の線対称で合わさっている。その軸部１６より下方の部分が洗濯物を挟む挟持部１７で、長板状樹脂１５の上端部が操作部１８である。操作部１８と軸部１６の間には縦方向に長形の穴があいており、一個の輪ばね１９がその長形孔を通り、それぞれの挟持部１７を外側から押さえ付けている。
取り付け部９に一部覆われた操作部１８をつまむことによって、挟持部１７が開く。図８は操作部１８をつまんだときの洗濯ばさみ１１と洗濯ばさみ補助具１の様子を表している。連結体８の上連接部２３と下連接部２４で洗濯ばさみ補助具１が屈曲し、このとき、ガイド体７は支持棒３に沿って上昇する。このためこの上昇分、ガイド体７の上方に支持棒３に長さの余裕がある。【００１２】  概ね、人が洗濯物を干すとき、干そうとする洗濯物を左手で持ち、右手で目的の洗濯ばさみの吊り下げ具２の上部辺りと掴み、やや下方に指を滑らせながら、操作部１８を捉えようとする。このため、図３に示すように、ガイド体７の上面を中央に向かって滑らかに隆起させることにより、指がスムーズに操作部１８に移行するようにした。【００１３】  図４は二個の普通の洗濯ばさみで一枚の重い洗濯物を吊り下げている場合の洗濯ばさみ１１と吊り下げ具２の様子の一例を示している。洗濯物の干し方によっては、洗濯ばさみ１１と吊り下げ具２それぞれの中心線が一直線に重ならず、洗濯ばさみ１１と吊り下げ具２が繋がっている輪ばね１９のところで傾きができてしまう。連結具６が装着された状態でこのような傾きになると、吊り下げ具２と連結具６を歪ませる力が生まれ、壊れの原因になる。【００１４】  そこで、連結具６が取り付け部９の突起部２０を軸にして範囲限定で回動できるようにした。
図５は操作部１８を内側から見た図である。多くの場合、操作部の穴２１から各方向の操作部１８の縁までの距離は同じではなく、操作部１８の上端部までの距離が短い。もしも取り付け部９が操作部１８の上端部に接する部分と、操作部１８の上端部の間に空間がないと連結具６が突起部２０を軸に左右に傾くことができなくなり、結果として連結具６は洗濯ばさみ１１に固定されてしまう。
そこで、連結具６の操作部１８の上端部に接する部分と、操作部１８の上端間に隙間を造るように構成して、連結具６が角度限定で左右に回動できるようにした。
角度を限定したことによって、洗濯ばさみ１１と連結具６が何かの理由で必要以上に、くの字にたたまれて、支持棒３がガイド体７の下方付近で激しく屈曲してしまうのを防いでいる。【００１５】  また、図６に表すように、二つの洗濯ばさみでひとつの洗濯物を吊す場合、支持棒３がガイド体７の内側の角にあたってしまう。特定の位置に何度もあたり、歳月を経ると、あたった部分が切れてしまう恐れがある。そこで、図７のように、ガイド体７の穴の直径を、中央部分がいちばん小さく、上方に至るほど、大きく、同様に下方に至るほど大きくなるようにした。それまで、支持棒３がガイド体７の内部に接触する部分が集中していたのを、分散させて、一部分に負担がかかることがないようにした。【００１６】  以上の構成により、洗濯ばさみの絡まりの原因となっていた空間に大きく突き出ていた操作部１８の突起はなだらかな小さな突起となり、周辺の物に引っかからなくなった。
使用するときは、操作部１８と操作部を覆う取り付け部９の付近を指でつまむわけであるが、図８が示すように、連結具６は上連接部２３と下連接部２４の部分で大きく屈曲するとき、肉厚を薄くしている効果で連結体８の上端と下端は正確に折り曲げられ、つまむための力は本発明が装着されていないときとほとんどかわらない。【００１７】  次に、取り付け部９の細かな形状を説明する。
洗濯物を干そうと操作部１８を捉えようとするとき、連結体８を通り過ぎた指は力点である操作部１８と操作部を覆う取り付け部９付近を捕らえようするのであるが、この力点部分の突起が無く滑らかすぎると、洗濯ばさみ自体の形状が下方に至るほどすぼむ形状なので、指が力点を通り過ぎてしまいそうになるうえ、つまみ難い。これを解決するため、取り付け部９を力点の位置が明確に感じとれる形状にした。取り付け部９の外方側を張り出させ、指が力点で止まるようにした。その正確な位置は図１０で示す通りである。最も外方に張り出す位置は操作部１８の上端部よりやや下方の高さにある。図１１のように取り付け部９が平均な肉厚で操作部１８を覆って、張り出しの位置が操作部１８の上端より高くなると、指が下連接部２４辺りにかかってしまい、指は力点からずれた所に力を入れることになってしまう。【００１８】  最後に連結体８の形状についてであるが、図１に示すように、連結体８は肉厚は同じであって、横幅は下端に至るほど幅が狭なっている。また下連接部２４の横幅は取り付け部９や操作部１８の幅より狭くなっている。これは取り付け部９の始まる位置をより明確に指先に伝えるためである。【００１９】  以下、第二実施例について図１１から図１３を用いて説明する。
第二実施例は、図１１で示すような操作部１８の上端の形状が角張っている場合に有効となるように取り付け部９を構成した。吊り下げ具２、ガイド体７、連結体８の構造は、実施例１と全く同様である。異なるところは取り付け部９の形状である。実施例１では突起部２０を操作部の穴２１に外側から内側に向かって押し入れるのに対して、実施例２では突起部２０をつまみ部の穴２１の部分で内側から外側に押し出す構造になっている。楕円型の取り付け部９の横幅は操作部１８の内側の横幅より短く、縦方向の長さは操作部１８の内側の横幅より長い。取り付け部９の中央には、実施例１の取り付け部９に付いている突起部２０と同型の突起が外向きに付いている。図１２に示すように、この突起部２０を操作部の穴２１の部分で内側から外側に押し出すことによって、洗濯ばさみ１１に連結具６を装着する。【００２０】  図１３は、連結具６が突起部２０を軸にして回動するときに、回動角度が制限される仕組みを表している。連結具６が必要以上に回動しようとすると、取り付け部９の楕円の縦方向の長さが操作部１８の内側の横幅より長いため、楕円の上端付近と下端付近が操作部１８の縁の内側につっかえ、それ以上、連結具６が傾くことができなくなる。
【図面の簡単な説明】
【００２１】
【図１】  本発明の説明図
【図２】  本発明の説明状態図
【図３】  本発明の一部を切り欠いた断面図
【図４】  従来の使用例を示す一部を切り欠いた断面図
【図５】  本発明の部分説明図
【図６】  本発明を説明する一部を切り欠いた断面図
【図７】  本発明を示す一部を切り欠いた断面図
【図８】  本発明の使用例を示す一部を切り欠いた断面図
【図９】  本発明を説明する一部を切り欠いた断面図
【図１０】  本発明の説明を補足する一部を切り欠いた断面図
【図１１】  実施例２の説明図
【図１２】  実施例２の一部を切り欠いた断面図
【図１３】  実施例２の連結装置とつまみ部を説明する部分図
【符号の説明】
【００２２】  １  洗濯ばさみ補助具
２  吊り下げ具
３  支持棒
４  上取付具
５  下取付具
６  連結具
７  ガイド体
８  連結体
９  取り付け部
１０  スリット
１１  洗濯ばさみ
１２  枠体
１３  吊り下げ部材
１４  鍵爪状フック
１５  長板状樹脂
１６  軸部
１７  挟持部
１８  操作部
１９  輪ばね
２０  突起部
２１  操作部の穴
２２  ガイド体の穴
２３  上連接部
２４  下連接部
【図１】
2006314749.tif 000003
【図２】
2006314749.tif 000004
【図３】
2006314749.tif 000005
【図４】
2006314749.tif 000006
【図５】
2006314749.tif 000007
【図６】
2006314749.tif 000008
【図７】
2006314749.tif 000009
【図８】
2006314749.tif 000010
【図９】
2006314749.tif 000011
【図１０】
2006314749.tif 000012
【図１１】
2006314749.tif 000013
【図１２】
2006314749.tif 000014
【図１３】
2006314749.tif 000015